(57)【要約】    【課題】本発明はヒートポンプ給湯システムの風呂追焚回路を清潔にすることを目的とする。また、回路構成材料等の腐食を防止することを目的とする。    【解決手段】  給水部から減圧手段を介して給水した水を、ヒートポンプサイクル中の給湯熱交換器で昇温して直接浴槽に給湯することができる直接給湯回路と、前記直接給湯回路に、貯湯された湯を供給することができるサポートタンクと、前記直接給湯回路に前記サポートタンクの湯が供給された後に水を混合することができるバイパス回路と、前記浴槽の湯水を前記給湯熱交換器で昇温された湯と熱交換して追い焚きする風呂追焚回路と、を備え、前記浴槽の湯水が少なくなってきたときに前記風呂追焚回路内の洗浄排水モードを作動させることを特徴とするヒートポンプ給湯システム。    【選択図】  図１
2007101067.tif 000002
【特許請求の範囲】
【請求項１】
圧縮機と、給湯熱交換器と、膨張弁と、大気熱交換器とを備えたヒートポンプサイクルと、
給水部から減圧手段を介して給水した水を前記給湯熱交換器で昇温して直接使用端末に給湯することができる直接給湯回路と、
前記直接給湯回路に、第１の流量制御手段を介して、サポートタンクに貯湯された湯を供給することができるタンク供給回路と、
前記給湯熱交換器と前記サポートタンクをバイパスして、前記使用端末の直前に、第２の流量制御手段を介して、前記給水部からの水を供給することができるバイパス回路と、
前記給湯熱交換器で昇温された湯と浴槽の湯水とを熱交換する追焚熱交換器を備えた風呂追焚加熱回路と、
風呂循環ポンプによって前記風呂追焚加熱回路内の前記追焚熱交換器に、入出湯金具を介して前記浴槽の湯水を循環させて浴槽内の湯水を追い焚きするための風呂追焚回路と、
前記風呂追焚回路内に設置された水位センサで検知された浴槽の水位が所定値以下になった場合に、前記風呂追焚回路内の湯水を前記浴槽へ排水するよう、前記各流量制御弁及び前記風呂循環ポンプを制御する制御手段とを有するヒートポンプ給湯システム。
【請求項２】
請求項１において、
前記制御手段は、前記給水部から給水した水で前記風呂追焚回路内を洗浄して当該湯水を前記浴槽へ排水するよう、前記第２の流量制御手段、前記入出湯金具及び前記風呂循環ポンプを制御することを特徴とするヒートポンプ給湯システム。
【請求項３】
請求項２において、
前記制御手段は、２００ｋＰａ以上の水を給水するよう前記減圧手段を制御することを特徴とするヒートポンプ給湯システム。
【請求項４】
請求項１において、
前記制御手段は、前記サポートタンクから出湯した湯で前記風呂追焚回路内を洗浄して当該湯水を前記浴槽へ排水するよう、前記第１の流量制御手段、前記入出湯金具及び前記風呂循環ポンプを制御することを特徴とするヒートポンプ給湯システム。
【請求項５】
給水部から減圧手段を介して給水した水を、ヒートポンプサイクル中の給湯熱交換器で昇温して直接浴槽に給湯することができる直接給湯回路と、
前記直接給湯回路に、貯湯された湯を供給することができるサポートタンクと、
前記直接給湯回路に前記サポートタンクの湯が供給された後に水を混合することができるバイパス回路と、
前記浴槽の湯水を前記給湯熱交換器で昇温された湯と熱交換して追い焚きする風呂追焚回路と、を備え、
前記風呂追焚回路内の湯水を排水するモードを有するヒートポンプ給湯システム。
【請求項６】
給水部から減圧手段を介して給水した水を、ヒートポンプサイクル中の給湯熱交換器で昇温して直接浴槽に給湯することができる直接給湯回路と、
前記直接給湯回路に、貯湯された湯を供給することができるサポートタンクと、
前記直接給湯回路に前記サポートタンクの湯が供給された後に水を混合することができるバイパス回路と、
前記浴槽の湯水を前記給湯熱交換器で昇温された湯と熱交換して追い焚きする風呂追焚回路と、を備え、
前記給水部から給水した水で前記風呂追焚回路内を洗浄する水洗浄モードを有するヒートポンプ給湯システム。
【請求項７】
給水部から減圧手段を介して給水した水を、ヒートポンプサイクル中の給湯熱交換器で昇温して直接浴槽に給湯することができる直接給湯回路と、
前記直接給湯回路に、貯湯された湯を供給することができるサポートタンクと、
前記直接給湯回路に前記サポートタンクの湯が供給された後に水を混合することができるバイパス回路と、
前記浴槽の湯水を前記給湯熱交換器で昇温された湯と熱交換して追い焚きする風呂追焚回路と、を備え、
前記給水部から２００ｋＰａ以上の高圧の水を給水し、この高圧の水で前記風呂追焚回路内を洗浄する高圧洗浄モードを有するヒートポンプ給湯システム。
【請求項８】
給水部から減圧手段を介して給水した水を、ヒートポンプサイクル中の給湯熱交換器で昇温して直接浴槽に給湯することができる直接給湯回路と、
前記直接給湯回路に、貯湯された湯を供給することができるサポートタンクと、
前記直接給湯回路に前記サポートタンクの湯が供給された後に水を混合することができるバイパス回路と、
前記浴槽の湯水を前記給湯熱交換器で昇温された湯と熱交換して追い焚きする風呂追焚回路と、を備え、
前記サポートタンクから出湯した湯で前記風呂追焚回路内を洗浄する熱湯洗浄モードを有するヒートポンプ給湯システム。
【請求項９】
請求項６乃至８の何れか１項において、
前記浴槽の湯水が排水され、当該湯水が少なくなってきたときに前記モードを作動させることを特徴とするヒートポンプ給湯システム。
【請求項１０】
上記各請求項の何れかにおいて、
ヒートポンプサイクル内に用いられる冷媒が二酸化炭素であり、サイクルが超臨界サイクルであることを特徴とするヒートポンプ給湯システム。
【発明の詳細な説明】
【技術分野】
【０００１】
本発明は、ヒートポンプ給湯システムの回路構成材料等の腐食防止に関するものである。
【背景技術】
【０００２】
従来のヒートポンプ給湯機は、ヒートポンプ運転動作がないと、水が循環せずタンクや回路内に滞留し、水が腐食したり、寒冷地においては水が凍結する虞があった。延いては、弁部の固着を生じる虞もあった。
【０００３】
この課題を解決するものとして、例えば特開平９−２３６３１７号公報（特許文献１）には、タンク内の水温が所定温度以下になったとき等に循環ポンプを運転することによって水の循環を行うことが開示されている。
【０００４】
【特許文献１】特開平９−２３６３１７号公報
【発明の開示】
【発明が解決しようとする課題】
【０００５】
上記公報に記載の技術は湯水の循環について考慮されているのみであり、風呂追焚回路については別段考慮されているわけではない。また、条件が揃ってしまえば循環ポンプが運転されるため、不本意な時間帯に循環ポンプの運転が行われる等、必ずしも良くない面もある。
【０００６】
入浴中や風呂追い焚き中（風呂利用中）等は、入浴剤や石鹸等が混じった水質の湯水を風呂追焚回路に曝さなければならないが、湯張り中や風呂利用中以外は、清潔にするため風呂の栓を抜いて浴槽及び風呂追焚回路から湯水を抜く人が多いと考えられる。更には、浴槽を掃除する人が多いと考えられる。
【０００７】
しかし、ヒートポンプ給湯システムにあっては、風呂追焚回路から簡単に湯水を抜くことができるとは限らない。また、浴槽は洗剤とスポンジで簡単に掃除できるが、風呂追焚回路は簡単には掃除できない。
【０００８】
従って、本発明はヒートポンプ給湯システムの風呂追焚回路を清潔にすることを目的とする。また、回路構成材料等の腐食を防止することを目的とする。
【課題を解決するための手段】
【０００９】
本発明の目的は、以下の構成を採用することによって達成される。
【００１０】
圧縮機と、給湯熱交換器と、膨張弁と、大気熱交換器とを備えたヒートポンプサイクルと、給水部から減圧手段を介して給水した水を前記給湯熱交換器で昇温して直接使用端末に給湯することができる直接給湯回路と、前記直接給湯回路に、第１の流量制御手段を介して、サポートタンクに貯湯された湯を供給することができるタンク供給回路と、前記給湯熱交換器と前記サポートタンクをバイパスして、前記使用端末の直前に、第２の流量制御手段を介して、前記給水部からの水を供給することができるバイパス回路と、前記給湯熱交換器で昇温された湯と浴槽の湯水とを熱交換する追焚熱交換器を備えた風呂追焚加熱回路と、風呂循環ポンプによって前記風呂追焚加熱回路内の前記追焚熱交換器に、入出湯金具を介して前記浴槽の湯水を循環させて浴槽内の湯水を追い焚きするための風呂追焚回路と、前記風呂追焚回路内に設置された水位センサで検知された浴槽の水位が所定値以下になった場合に、前記風呂追焚回路内の湯水を前記浴槽へ排水するよう、前記各流量制御弁及び前記風呂循環ポンプを制御する制御手段とを有するヒートポンプ給湯システム。
【００１１】
給水部から減圧手段を介して給水した水を、ヒートポンプサイクル中の給湯熱交換器で昇温して直接浴槽に給湯することができる直接給湯回路と、前記直接給湯回路に、貯湯された湯を供給することができるサポートタンクと、前記直接給湯回路に前記サポートタンクの湯が供給された後に水を混合することができるバイパス回路と、前記浴槽の湯水を前記給湯熱交換器で昇温された湯と熱交換して追い焚きする風呂追焚回路と、を備え、前記風呂追焚回路内の湯水を排水するモードを有するヒートポンプ給湯システム。
【発明の効果】
【００１２】
本発明によれば、ヒートポンプ給湯システムの風呂追焚回路を清潔にすることができる。また、回路構成材料等の腐食を防止することができる。
【発明を実施するための最良の形態】
【００１３】
以下、本発明の実施例について図面を用いて説明する。
【実施例１】
【００１４】
図１は本発明の第１の実施例におけるヒートポンプ給湯システムの構成を示すものである。１は圧縮機、６は給湯熱交換器、２は電動膨張弁、３は大気熱交換器で、これらをヒートポンプサイクルという。各要素に添え字ａが付されたものをヒートポンプサイクルａ、各要素に添え字ｂが付されたものをヒートポンプサイクルｂと称することとする。給湯熱交換器は、６ａ，６ｂとわざわざ区別せず、６としている。大気熱交換器３ａ，３ｂにファンを設置することにより、効率的に大気との熱交換を行わせることができる。
【００１５】
５は給水管からの水を導入する給水金具であり給水部となる。給水部５から導入された水は、給湯熱交換器６で昇温され、使用端末である浴槽９ａと蛇口９ｂに給湯される。従って、給湯熱交換器６は水冷媒熱交換器であり、圧縮機１の回転数を可変に制御することにより給湯熱交換器６の加熱能力を調整し、よって使用端末に所望の温度の湯を給湯することが可能となる。このとき、必要に応じてサポートタンク８からの湯水が混合される。また、使用端末で要求給湯温度・要求給湯量の変化、特にこれらの低減要求があった場合に、迅速にその変化に対応できるよう給水部５から水を混合することができるように構成されている。
【００１６】
また、浴槽９ａの追い焚きを可能とするべく追焚熱交換器７が配設されている。追い焚きの際は、風呂循環ポンプ１０ｂを動作させ、浴槽９ａの湯水を追焚熱交換器７で昇温する。ここでの昇温は水水熱交換によるものであるので、追焚熱交換器７は水水熱交換器である。
【００１７】
また、サポートタンク８の温度が低下した場合に、沸き増し又は沸き戻しを可能とするべく機内循環ポンプ１０ａが配設されている。沸き上げの際は、機内循環ポンプ１０ａを動作させ、サポートタンク８の湯水を給湯熱交換器６で昇温する。
【００１８】
これら動作は図示しない制御手段が、各種センサからの信号や、風呂場や台所等に配設されるリモコンからの入力に基づいて圧縮機１、膨張弁２、各流量制御手段１１等のアクチュエータを制御することによって行われる。
【００１９】
そのために、以下のように各種弁・センサ等が配設されている。
【００２０】
１１ａは追焚熱交換器７への流量を調整することができる追焚電磁弁、１１ｂは追焚熱交換器７からの逆流を防止する追焚逆止弁、１１ｃはヒートポンプ給湯機内で主に給水が逆流するのを防止する機内循環逆止弁、１１ｄは給湯熱交換器６で昇温された湯水にサポートタンク８からの湯水を必要に応じて混合するためのタンク熱交混合弁、１１ｅはタンク熱交混合弁を通過した湯水に給水部５からの水を必要に応じて混合するための湯水混合弁、１１ｆは給湯量が予定の総量を超えないように流量を規制する機能を有する流量調整弁、１１ｇは湯張り等浴槽へ給湯するための注湯電磁弁、１１ｈは給水部５に来ているバラつきのある高い水圧（２００〜６００ｋＰａ等）の水を約１７０ｋＰａ程度の水圧の水に調整する減圧弁、１４ａ，１４ｂは浴槽９ａへの湯水の出入りを管理する入出湯金具、２２はタンクの湯水を抜くときに使用する排水弁、２３は高圧になり過ぎたとき等に圧力を逃す等の用途に用いる逃し弁である。
【００２１】
１２ａは図示していないが外気温を計測する温度センサ、１２ｂは給湯熱交換器の入口温度を計測する温度センサ、１２ｃは給湯熱交換器の出口温度を計測する温度センサ、１２ｄはタンク熱交混合弁１１ｄを通過した湯水の温度を計測する温度センサ、１２ｅは湯水混合弁１１ｅを通過した湯水の温度を計測する温度センサ、１２ｆは浴槽９ａへの給湯温度を計測する温度センサであるとともに風呂を追い焚きする際の浴槽９ａの湯水の温度を計測する温度センサ、１３は浴槽９ａの水位を圧力によって計測する水位センサ、２０は給水量を計測する給水水量センサ、２１は給湯熱交換器６への流入量を計測する水熱交流量センサである。なお、２４は風呂循環ポンプ１０ｂがカラ運転しないように湯水があることを確認するフロースイッチであり、このスイッチがＯＮでなければ風呂循環ポンプ１０ｂは運転できない。
【００２２】
上記構成において、大気熱をヒートポンプサイクルの熱源として給水部５から給水した水を加熱する場合は、以下のような運転を行う。まず、送風手段を駆動して大気を大気熱交換器３へ搬送する。そして、圧縮機１を駆動させて圧縮機１→給湯熱交換器６→膨張弁２→大気熱交換器３→圧縮機１の順にＣＯ２冷媒を循環させる。圧縮機１から吐出された高温高圧のＣＯ２冷媒は、給湯熱交換器６でエネルギーを湯水へ放熱した後、膨張弁２で減圧されて低温低圧となる。その後、大気熱交換器３で大気熱を吸熱し圧縮機１に吸入される。ＣＯ２冷媒は自然環境にやさしい冷媒であるため近年注目されている自然冷媒である。このときの冷凍サイクルは、高圧側で臨界点を超える超臨界サイクルであり、冷媒を高温高圧にできるため例えば９０℃のような高温の湯を得ることができる。
【００２３】
圧縮機１から吐出された高温高圧の冷媒は、給湯熱交換器６で給水部５からの水と熱交換して保有するエネルギーを水へ放熱する。そして水を温め、使用端末（９ａ，９ｂ）へ給湯する。
【００２４】
ここで、給水部５→給湯熱交換器６→使用端末（９ａ，９ｂ）の回路を直接給湯回路といい、サポートタンク８からの湯を混合することなく給湯熱交換器６で得られた湯を直接給湯できる瞬間直接給湯を行う回路である。また、圧縮機１の回転数を上げることによって給湯熱交換器６の加熱能力を上げ、タンク熱交混合弁１１ｄを制御することでサポートタンク８に、約９０℃の湯を貯湯することもできる。更に、機内循環ポンプ１０ａを動作させればサポートタンク８に貯湯された湯を沸き増し又は沸き戻すことができる。
【００２５】
図中の給水部５の後の分岐部→湯水混合弁１１ｅをバイパス回路といい、使用端末９ａ，９ｂへの給湯に当たっては、必要ならば１１ｅを制御することにより給水部５からの水を、給湯熱交換器６やサポートタンク８をバイパスして混合し、適温の湯を給湯することができる。なお、湯張り時には少なくとも入出湯金具１４ａは開けておく。
【００２６】
この点、ガス給湯器では、湯が熱過ぎるので水を混ぜなければ適温を得られないが、ヒートポンプ給湯システムではできれば水を混ぜたくない。混ぜたくないが水を混ぜないと給湯要求に対する応答性・追従性が必ずしも十分でないので、水を混ぜることで応答性・追従性を改良し、使い勝手を向上させるようにしている。
【００２７】
また、水を混ぜた後にサポートタンク８からの湯を使用端末の直前で混ぜる方式を採るとするならば、サポートタンク８の湯の使用、すなわち、サポートタンク８からの放熱が前提となり、熱エネルギーを必要以上に使うこととなってしまい効率が良くない。従って、水の混合を使用端末（９ａ，９ｂ）の直前で行い、熱のエネルギーを無駄にしないように工夫している。
【００２８】
なお、サポートタンク８から使用端末（９ａ，９ｂ）への回路、すなわち、サポートタンク８→タンク熱交混合弁１１ｄ→湯水混合弁１１ｅ→流量調整弁１１ｆ→注湯電磁弁１１ｇ→フロースイッチ２４→風呂循環ポンプ１０ｂ→入出湯金具１４ａ→浴槽９ａの回路をタンク給湯回路ａといい、サポートタンク８→タンク熱交混合弁１１ｄ→湯水混合弁１１ｅ→流量調整弁１１ｆ→蛇口９ｂの回路をタンク給湯回路ｂという。
【００２９】
また、浴槽９ａの湯水を追い焚きする場合は、以下のような運転を行う。浴槽９ａの湯水は、風呂循環ポンプ１０ｂにより追焚熱交換器７へ供給される。このとき注湯電磁弁１１ｇは逆止弁の機能を担い、タンク熱交混合弁１１ｄも蛇口９ｂからの給湯要求が無い限り、湯水の流れを遮断する。この状態でヒートポンプサイクルと風呂循環ポンプ１０ｂを運転すると、給湯熱交換器６で高温に沸き上げられた湯水と、風呂循環ポンプ１０ｂにより循環された浴槽９ａの湯とが、追焚熱交換器７において対向流で熱交換して浴槽９ａの湯が昇温されて浴槽９ａに戻され、１２ｆにて所望の温度が計測されるまで追い焚きが行われる。なお、浴槽９ａ→入出湯金具１４ａ→風呂循環ポンプ１０ｂ→追焚熱交換器７→入出湯金具１４ｂ→浴槽９ａのサイクルを風呂追焚回路という。また、このとき追焚熱交換器７→機内循環ポンプ１０ａ→給湯熱交換器６→追焚電磁弁１１ａ→追焚逆止弁１１ｂ→追焚熱交換器７のサイクルを追焚加熱回路という。なお、言うまでも無いが、追い焚き時には入出湯金具１４ａ，１４ｂとも開けておく。
【００３０】
また、サポートタンク８の沸き増しについて、機内循環ポンプ１０ａにより供給されたサポートタンク８の低温の湯水は、給湯熱交換器６でＣＯ２冷媒のエネルギーを受けて高温にされ、サポートタンク８へ供給されることでサポートタンク８の沸き増しが行われる。沸き増しは、サポートタンク８の貯湯温度が所望の温度になるまで、すなわち１２ｂにより所望の温度（例えば、６０℃や９０℃）が計測されるまで行われる。なお、サポートタンク８→機内循環ポンプ１０ａ→給湯熱交換器６→タンク熱交混合弁１１ｄ→サポートタンク８のサイクルをタンク沸き増し回路という。
【００３１】
以上のようなヒートポンプ給湯システムにおいて、ヒートポンプ運転による浴槽９ａの湯水の追い焚き運転終了後であって入浴終了後、すなわち、風呂利用後には、浴槽９ａ及び風呂追焚回路に湯水が滞留したままとなっている。このように湯水が滞留したままの状態が長時間継続すると配管内に湯垢が発生し、溜まる虞がある。また、湯水の水質劣化が起こり、配管等を腐食する虞がある。
【００３２】
風呂追焚回路内には入浴剤や石鹸等が混じった湯水が循環・滞留するため湯垢・腐食が発生し易く、また促進し易い環境となる。湯垢は、その主成分（約７割）が、脂肪酸カルシウム、つまり、水道水中のカルシウムと石鹸との化合物であるので、浴槽９ａの湯水が循環・滞留する風呂追焚回路内は、湯垢が特に発生・促進しやすいと考えられる。なお、湯垢の他の成分としては、たんぱく質、脂肪酸、脂肪等であるからであることが知られている。また、空気中の細菌が湯垢に達すると繁殖して湯垢が増大する。
【００３３】
従って、風呂追焚回路のように、石鹸等が含まれた浴槽の湯水が循環、滞留するような部分においては、この湯水を抜き去って配管等と接触させないことが重要である。この点、湯水を抜くことによって清潔にすることができるが、ヒートポンプ給湯システムにおいては抜き去ることが必ずしも容易でない。そこで、水質の劣化した湯水に代えて水質の良いきれいな水を導入して洗浄し、このきれいな水を滞留させる方が良いと考えられる。なお、「風呂追焚回路内から湯水を排水」には、単に湯水を排水するという意味があるのは勿論であるが、代わりの水を導入して湯水を排水するという意味をも含むものである。
【００３４】
本実施例においては、人が浴槽９ａに設けられた栓を抜いた後、つまり水位減少中に、浴槽９ａの近傍の水位センサ１３が所定水位を検知したら、給水部５から水質の良いきれいな水を導入して、風呂追焚回路中の水質の劣化した湯水を浴槽９ａに押し出して排水し、湯水滞留を防ぐこととした。このとき水質の良いきれいな水は滞留していることとなる。なお、風呂追焚回路内の湯水の量はαＬとした。図２は、排水動作のフローチャート（ａ）およびタイムチャート（ｂ）である。
【００３５】
具体的な動作を説明する。図２（ａ）（ｂ）に示すように、Ｓ１０でヒートポンプ運転中であるか否かを確認し、Ｓ１１にあるように例えば浴槽９ａの水位が半分まで減少したら、Ｓ１２で入出湯金具１４ａ，１４ｂを制御して双方とも開く。給水部５から湯水混合弁１１ｅを介して分岐点ＸＸに給水された湯水を、分岐点ＸＸ以降、風呂循環ポンプ１０ｂを介した浴槽９ａ側と追焚熱交換器７を介した浴槽９ａ側の双方に流すためである。なお、この水は給湯熱交換器６を介したものでも構わない。但し、Ｓ１０でヒートポンプ運転が停止していることを確認しているので、給湯熱交換器６を介しても、余熱で昇温される以外は、湯水混合弁１１ｅを介して得られるのは水である。その後、Ｓ１３で給水部５から給水した水を流し、風呂追焚回路内に溜まっていた浴槽９ａと同等の劣化した水質の湯水が十分流され、風呂追焚回路内を流れる水が、ほぼ給水部５から給水された水へと入れ替わって配管内の洗浄がなされるに十分な時間ｔｃが経過したらＳ１４で給水部５からの給水を停止する。風呂追焚回路内の湯水の量は少ないので、上記のｔｃは比較的短時間である。そして、風呂追焚回路内への逆流を防止するため入出湯金具１４ａ，１４ｂを閉じる（Ｓ１５）。
【００３６】
以上によって風呂追焚回路内には水質の劣化した湯水は無く、きれいな水で満たされる。つまり、浴槽９ａの栓が抜かれ水位が所定値になったことを、人の排水の意図とし、これをトリガとして、風呂追焚回路内の水質の劣化した湯水の滞留を防止し、風呂追焚回路を清潔にすることができる。延いては配管等の腐食を防止することができる。
【００３７】
Ｓ１１では水位が半分になってからＳ１２の動作を開始するが、浴槽９ａの湯水が排水され、当該湯水が少なくなってきたとき、例えば、水位センサ１３に水圧が掛からなくなってから、延いてはフロースイッチ２４がＯＦＦになってから、Ｓ１２以降の動作を開始しても実用上不都合は無い（これをＳ１１’とする。図示していないがＳ３１，Ｓ４１参照。）このときは湯水が殆ど無いので風呂追焚回路内への逆流の虞も無く、むしろステップＳ１５を省略し得る点で意味がある。
【００３８】
これは、浴槽９ａの栓、すなわち排水を防止するための蓋は一般的には底に設けられている一方、浴槽９ａへの湯水の出入口（９ａ−ｅ）は底ではなく側壁部に設けられているからである。つまり、出入口（９ａ−ｅ）よりも実際の水位が下回ると水位センサ１３には水圧が掛からなくなって、フロースイッチ２４がＯＦＦになり、その時点から風呂追焚回路内の洗浄排水を開始したとしても、浴槽９ａの排水と風呂追焚回路内の洗浄排水とは同等の時間で終了すると考えられるからである。
【００３９】
図２（ｂ）では、水位センサ１３に水圧が掛からなくなったときの浴槽９ａの湯水量をεＬと表している。なお、εＬとαＬとの大小関係はヒートポンプ給湯システムのみでなく、家の中に設置する浴槽９ａとの関係によって定まるものであるので、必ず図２（ｂ）のように「εＬ＞αＬ」となるものではなく、「εＬ＜αＬ」ともなり得る。
【００４０】
また、洗浄排水用の給水に当たり、減圧弁１１ｈを制御することでヒートポンプ給湯機の配管内に高圧（２００ｋＰａ以上）の水を給水することも可能である。この洗浄排水モードを高圧洗浄或いは高圧洗浄モードと称し、上記図２で説明した通常の洗浄排水モードである水洗浄或いは水洗浄モードと区別する。図３は、高圧洗浄動作のフローチャート（ａ）およびタイムチャート（ｂ）である。
【００４１】
図２の水洗浄モードは減圧弁１１ｈを通常時と同様に制御するものであるが、減圧弁１１ｈを制御して高圧水で洗浄を行えば、多少の湯垢の発生・付着があったとしても洗い流すことができる。具体的には、図３（ａ）に示すフローチャートに従う。基本的に図２（ａ）と同様であるが、Ｓ３１はＳ１１’に相当する。また、Ｓ３３で給水するにあたり、減圧弁１１ｈを制御して配管内に高圧水を給水する。図３（ｂ）では風呂追焚回路内の湯水の排水の方が早く終了しているが、必ずしもこのようになるとは限らない。
【００４２】
このように、洗浄排水を行うことで、風呂追焚回路を清潔にすることができる。延いては配管等の腐食を防止することができる。これら給水による洗浄では、サポートタンク８から出湯しない分、システム全体としての年間効率を落とさずに洗浄を行うことができる。
【００４３】
以上の給水による洗浄の他、サポートタンク８を利用して、風呂追焚回路を洗浄排水することができる。具体的には、図４に示すようなフローチャートに従って洗浄すれば良い。
【００４４】
図４は、熱湯洗浄排水動作のフローチャートである。図３（ａ）のフローチャートと異なる部分はＳ４３，Ｓ４４のみである。Ｓ４３では、サポートタンク８から貯湯されている高温の湯、すなわち熱湯を出湯して配管内を洗浄する。この洗浄排水モードを熱湯洗浄或いは熱湯洗浄モードと称する。そして、配管内の洗浄がなされるに十分な時間が経過したらＳ４４でサポートタンク８からの出湯を停止する。
【００４５】
このように、サポートタンク８に貯湯された湯、すなわち約９０℃の湯等で洗浄を行うことで、殺菌効果も高まり、風呂追焚回路を清潔にすることができる。延いては配管等の腐食を防止することができる。
【００４６】
以上の洗浄排水モード（水洗浄、高圧洗浄、熱湯洗浄）を適宜組み合わせて風呂追焚回路内を洗浄することも可能である。
【００４７】
例えば、毎日の風呂利用後に水洗浄後に熱湯洗浄を行うことが考えられる。これによれば毎日風呂追焚回路を洗浄して清潔にしながら殺菌も行うことが可能となる。また例えば、一週間若しくは一ヶ月に一度風呂利用後に高圧洗浄を行い、その後に熱湯洗浄を行うことが考えられる。これによれば一定期間毎に風呂追焚回路内に付着した湯垢を取り去って清潔にしながら殺菌も行うことが可能となる。また例えば、風呂利用後に熱湯洗浄を行い、その後に高圧洗浄を行うことが考えられる。これによれば頑固な湯垢を除去し易くした後に、高圧水で洗浄するので、頑固な湯垢を取り去って風呂追焚回路内を清潔にすることができる。また、例えばリモコンに洗浄用のボタンを設けて、ユーザーがそのボタンを押したときに洗浄排水を行うようにすることができる。すなわち浴槽の水位と洗浄排水モードとを必ずしも連動させないで、洗浄排水を行うようにすることもできる。これによれば風呂掃除の直前や、浴槽掃除後であって洗剤等を洗い流す直前にボタンを押して風呂追焚回路を所望の方法により洗浄し、風呂追焚回路内および浴槽を清潔にすることができる。
【００４８】
また、図１の構成で風呂追焚回路内から湯水を排水するための機構を設けることが可能であれば洗浄排水ではなく、単に排水することによって風呂追焚回路を清潔にすることもできる。
【００４９】
以上により、人が浴槽の湯水を排水する意図をトリガとするので、不本意なタイミングで排水してしまうこともなく、浴槽の湯水排水時に合わせて追焚回路内の排水動作を行うことができる。また、滞留湯水、特に浴槽の湯水が原因となる湯垢の防止抑制、配管等の腐食防止が可能となる。
【図面の簡単な説明】
【００５０】
【図１】ヒートポンプ給湯システムの構成の概略を示した図
【図２】排水動作のフローチャート（ａ）およびタイムチャート（ｂ）
【図３】排水水洗浄動作のフローチャート（ａ）およびタイムチャート（ｂ）
【図４】排水熱湯洗浄動作のフローチャート
【符号の説明】
【００５１】
１        圧縮機
２        電動膨張弁
３        大気熱交換器
５        給水部
６        給湯熱交換器
７        追焚熱交換器
８        サポートタンク
９ａ      浴槽
９ｂ      蛇口
１０ａ    機内循環ポンプ
１０ｂ    風呂循環ポンプ
１１ａ    追焚電磁弁
１１ｂ    追焚逆止弁
１１ｃ    機内循環逆止弁
１１ｄ    タンク熱交混合弁
１１ｅ    湯水混合弁
１１ｆ    流量調整弁
１１ｇ    注湯電磁弁
１１ｈ    減圧弁
１２      温度センサ
１３      水位センサ
２０      給水水量センサ
２１      水熱交流量センサ
２２      排水弁
２３      逃し弁
２４      フロースイッチ
【図１】
2007101067.tif 000003
【図２】
2007101067.tif 000004
【図３】
2007101067.tif 000005
【図４】
2007101067.tif 000006